(57)【要約】【課題】製造コストおび部品点数が少なく、しかも、磁気回路から磁束が漏れるのを十分に防止することができる防磁型スピーカを提供する。【解決手段】トッププレート３、マグネット１およびヨーク４を重ねて形成される磁気回路の底面および側面をアキシャル配向以外に配向着磁されたカップ型のプラスチックマグネット４で覆い、前記磁気回路の磁気ギャップ５にボイスコイルを配置する。【選択図】図１
2007116492.tif 000002
【特許請求の範囲】
【請求項１】
トッププレート、マグネットおよびヨークを重ねて形成される磁気回路の底面および側面をアキシャル配向以外に配向着磁されたカップ型のプラスチックマグネットで覆い、前記磁気回路の磁気ギャップにボイスコイルが配置される防磁型スピーカ。
【発明の詳細な説明】
【技術分野】
【０００１】
この発明は磁気回路から発生する磁束が外部に漏れることが防止された防磁型スピーカに関する。
【背景技術】
【０００２】
従来から磁気回路で発生させた磁界中に振動板に固着されたボイスコイルを配置してボイスコイルに音声信号の電流を流すことにより振動板を振動させるスピーカが用いられている。このスピーカの磁気回路から漏れた磁束がスピーカ近傍に配置されたディスプレイ等に悪影響を及ぼすことを防止するために磁束が磁気回路の外部に漏れることを防止した防磁型スピーカが使用されている。
【０００３】
図３にそのような従来の防磁型スピーカの例を示す。図３に示すメインマグネット１はリング状に形成されアキシャル方向（軸方向）に着磁されており、その底面にヨーク２が配置され、上面にトッププレート３が配置されている。トッププレート３は円板形状であり、ヨーク２は円板形状部２ａに円筒状のセンターポール２ｂが一体となった形状である。このメインマグネット１、ヨーク２およびトッププレート３により磁気ギャップ５に磁束が集中する磁気回路が形成される。
【０００４】
トッププレート３にはフレーム６が締着される。トッププレート３の円周上等間隔に形成されたダボ３ｂがフレーム６の穴と嵌合することによりフレーム６がトッププレート３に対して位置決めされ、トッププレート３のねじ穴３ａにフレーム６の穴を挿通してねじ込まれる図示していないねじによりフレーム６がトッププレート３に締着される。
【０００５】
上記磁気ギャップ５には図示していないボイスコイルの巻線部が配置される。ボイスコイルの上部は図示していない振動板およびダンパーの内周に固着されている。振動板の外周は図示していないエッジを介してフレーム６に支持され、ダンパーの外周はフレーム６に固着される。この振動板およびダンパーによりボイスコイルの巻線部が磁気ギャップ５に対して位置決めされる。磁気ギャップ５の磁界とボイスコイルの巻線部に流れる電流とにより発生する電磁力により振動板が振動して音が放射される。
【０００６】
上記のように構成されたスピーカの磁気回路から発生する磁束が外部に漏れることを防止するためにヨーク２の下面にリング状のサブマグネット７が固着されサブマグネット７の底面に磁気回路の底と側面を覆う防磁カップ８が固着される。
【０００７】
上記のようにサブマグネット７と防磁カップ８が設けられた磁気回路に形成される磁場を図４の半断面図に示す。図に示すメインマグネット１とサブマグネット７の起磁力の方向を黒矢印で示す。黒矢印で示すようにメインマグネット１とサブマグネット７は同極が対向する方向に磁化されている。磁界の方向を矢印で示すが、トッププレート３とヨーク２との夫々の外周の角から漏れる磁束はサブマグネット７の起磁力により防磁カップ８に吸収された外部に漏れることが防止される。
【０００８】
上記した従来の防磁型スピーカはメインマグネットの他にサブマグネットを使用するために製造コストが高くなる。さらに、サブマグネット、防磁カップ等の部品点数が増えて、組み立て工数が大きくなる。また、サブマグネット等の厚い部品を磁気回路に重ねるためにスピーカ全体の厚さが厚くなるという問題があった。
【０００９】
実開平５−４３６９６号公報に提案されたスピーカは上記サブマグネット７に相当するキャンセル磁石２と防磁カップ８に相当する磁気カバー８が設けられているが、図３で説明した従来の防磁型スピーカと同じ問題があった。
【００１０】
特開昭６１−２１９２９２号公報に提案された動電型スピーカは上記サブマグネット７に相当する第３のマグネット１３と防磁カップ８に相当する磁気カバー１４が設けられているが、図３で説明した従来の防磁型スピーカと同じ問題があった。
【００１１】
実開平６−７３９５号公報に提案されたスピーカ用内磁型磁気回路は、ヨーク３の背面に平板状フェライト磁石２が張付けられている。この磁気回路は、磁気回路の側面が防磁カップに覆われていないので、トッププレートとヨークとの夫々の外周の角から磁束が漏れるのを防止できないという問題があった。
【特許文献１】実開平５−４３６９６号公報、段落０００７、図１
【特許文献２】特開昭６１−２１９２９２号、３頁右上欄、図３
【特許文献３】実開平６−７３９５号公報、４頁『課題を解決するための手段』図１
【発明の開示】
【発明が解決しようとする課題】
【００１２】
この発明は上記した点に鑑みてなされたものであって、その目的とするところは、製造コストおび部品点数が少なく、しかも、磁気回路から磁束が漏れるのを十分に防止することができる防磁型スピーカを提供することにある。
【課題を解決するための手段】
【００１３】
この発明の防磁型スピーカは、トッププレート、マグネットおよびヨークを重ねて形成される磁気回路の底面および側面をアキシャル配向以外に配向着磁されたカップ型のプラスチックマグネットで覆い、前記磁気回路の磁気ギャップにボイスコイルが配置されるものである。
【発明の効果】
【００１４】
この発明の防磁型スピーカによれば、製造コストおび部品点数が少なく、しかも、磁気回路から磁束が漏れるのを十分に防止することができる。
【発明を実施するための最良の形態】
【００１５】
以下この発明を実施するための最良の形態を実施例に即して説明する。図１はこの発明の実施例である防磁型スピーカを示す断面図である。図１において、図３の従来例のものと同等の部材には同一の符号が付されており、その詳細な説明を省略する。
【００１６】
本実施例では図３に示す防磁型スピーカの構成において、サブマグネット７および防磁カップ８の代わりに、プラスチックマグネット４がメインマグネット１、ヨーク２およびトッププレート３で構成された磁気回路の底面および側面を覆うように取り付けられている。
【００１７】
プラスチックマグネット４は磁性体が混入されたプラスチックをカップ形状に成形したもので、アキシャル配向以外に配向着磁されている。回転体形状磁性体のアキシャル方向に配向着磁された磁界を図２（ｃ）の矢印で示す。また、回転体形状磁性体のアキシャル方向以外に配向着磁された磁界を図２（ａ）および（ｂ）の矢印で示す。
【００１８】
本実施例のプラスチックマグネット４は主として面平行方向に配向着磁されており、プラスチックマグネット４によりトッププレート３とヨーク２との夫々の外周の角から漏れようとする磁束をプラスチックマグネット４の起磁力によりプラスチックマグネット４に吸引されて外部に漏れることが防止される。
【００１９】
本実施例によれば、従来例のサブマグネットおよび防磁カップの機能を１つのプラスチックマグネットで達成でき、製造コストおび部品点数が少なくなり、しかも、磁気回路から磁束が漏れるのを十分に防止することができる。
【００２０】
さらに、厚いサブマグネットを用いないため、スピーカ全体の厚みおび重量が削減される。また、プラスチックマグネット４は樹脂であるため、成形が可能であり、取り付け用のボス等の加工が容易である。さらに、プラスチックマグネット４の磁力を調整することにより、ボイスコイルの配置される磁気ギャップの磁界の強さを調整でき、スピーカ自体の音質も容易に調整できる。
【図面の簡単な説明】
【００２１】
【図１】この発明の実施例である防磁型スピーカを示す断面図である。
【図２】着磁された回転体形状磁性体の磁界の方向を示す図である。
【図３】従来の防磁型スピーカを示す断面図である。
【図４】同防磁型スピーカの磁気回路の磁束分布を示す図である。
【符号の説明】
【００２２】
１  メインマグネット
２  ヨーク、２ａ  円板形状部、２ｂ  センターポール
３  トッププレート、３ａ  ねじ穴、３ｂ  ダボ
４  プラスチックマグネット
５  磁気ギャップ
６  フレーム
７  サブマグネット
８  防磁カップ
【図１】
2007116492.tif 000003
【図２】
2007116492.tif 000004
【図３】
2007116492.tif 000005
【図４】
2007116492.tif 000006